(57)【要約】【課題】他のプログラムの機能と干渉することを回避可能な画像処理装置、プログラム及び画像処理方法を提供する。【解決手段】本発明によれば、表示部における位置を表す位置情報を検出する位置情報検出部と、前記位置情報に基づいて、前記表示部における関心領域の位置を決定する領域位置決定部と、前記関心領域内又は前記関心領域外の少なくとも一方の画像に対して画像処理を行う画像処理部と、を備え、前記領域位置決定部は、前記画像処理に伴い前記位置情報が変更された場合、前記変更される直前における前記位置情報に基づいて、前記関心領域の位置を決定するように構成される、画像処理装置が提供される。【選択図】図６
2018137571.tif 000002
【特許請求の範囲】
【請求項１】
表示部における位置を表す位置情報を検出する位置情報検出部と、
前記位置情報に基づいて、前記表示部における関心領域の位置を決定する領域位置決定部と、
前記関心領域内又は前記関心領域外の少なくとも一方の画像に対して画像処理を行う画像処理部と、
を備え、
前記領域位置決定部は、前記画像処理に伴い前記位置情報が変更された場合、前記変更される直前における前記位置情報に基づいて、前記関心領域の位置を決定するように構成される、
画像処理装置。
【請求項２】
前記位置情報は、前記表示部に表示されるポインタのポインタ位置により特定される情報であり、
前記領域位置決定部は、前記ポインタ位置に関連付けられた位置を前記関心領域の位置として決定する、
請求項１に記載の画像処理装置。
【請求項３】
前記画像処理が実行された場合に前記位置情報を予め定められた位置に変更する位置情報変更部を備え、
前記領域位置決定部は、前記位置情報が変更された場合でも、前記位置情報が変更された後における前記関心領域の位置を前記位置情報が変更される直前の前記位置情報に決定する、
請求項１又は請求項２に記載の画像処理装置。
【請求項４】
前記画像処理部は、前記画像処理の実行時に前記関心領域を拡大するように構成される、
請求項１〜請求項３の何れか１つに記載の画像処理装置。
【請求項５】
前記画像処理部は、前記画像処理の実行時に前記関心領域を移動するように構成される、
請求項１〜請求項４の何れか１つに記載の画像処理装置。
【請求項６】
前記画像処理部は、前記表示部に表示される画像全体における前記関心領域の相対位置を維持した状態で、前記拡大又は前記移動を行うように構成される、
請求項４又は請求項５に記載の画像処理装置。
【請求項７】
前記画像処理部は、前記関心領域内又は前記関心領域外の少なくとも一方の画像の画質を維持するように画像処理を実行する、
請求項１〜請求項６の何れか１つに記載の画像処理装置。
【請求項８】
前記画像処理部は、前記画像処理の実行時に、前記関心領域を非表示とするように構成される、
請求項１〜請求項７のいずれか１項に記載の画像処理装置。
【請求項９】
前記画像処理装置は、本体ユニットと、表示ユニットを備え、
前記本体ユニットと前記表示ユニットは、通信可能に構成されており、
前記本体ユニットは、前記位置情報検出部及び前記領域位置決定部を備え、
前記表示ユニットは、前記表示部及び前記画像処理部を備える、
請求項１〜請求項８のいずれか１項に記載の画像処理装置。
【請求項１０】
コンピュータを、
表示部における位置表す位置情報を検出する位置情報検出部、
前記位置情報に基づいて、前記表示部における関心領域の位置を決定する領域位置決定部、
前記関心領域内又は前記関心領域外の少なくとも一方の画像に対して画像処理を行う画像処理部、
として機能させ、
前記領域位置決定部は、前記画像処理に伴い前記位置情報が変更された場合、前記変更される直前における前記位置情報に基づいて、前記関心領域の位置を決定するように構成される、
プログラム。
【請求項１１】
位置情報検出部により、表示部における位置表す位置情報を検出する位置情報検出ステップ、
領域位置決定部により、前記位置情報に基づいて、前記表示部における関心領域の位置を決定する領域位置決定ステップ、
画像処理部により、前記関心領域内又は前記関心領域外の少なくとも一方の画像に対して画像処理を行う画像処理ステップ、
を備え、
前記領域位置決定部は、前記画像処理に伴い前記位置情報が変更された場合、前記変更される直前における前記位置情報に基づいて、前記関心領域の位置を決定するように構成される、
画像処理方法。
【発明の詳細な説明】
【技術分野】
【０００１】
本発明は、画像処理装置、プログラム及び画像処理方法に関する。
【背景技術】
【０００２】
モニターに表示する画像の一部を関心領域とし、関心領域内又は関心領域外の画像に対して画像処理を行う画像処理装置が実用化されている。
【０００３】
特許文献１には、画像の一部をハイライト表示することが可能な画像処理装置が開示されている。
【先行技術文献】
【特許文献】
【０００４】
【特許文献１】ＷＯ２０１２／０８５１６３号公報
【発明の概要】
【発明が解決しようとする課題】
【０００５】
ところで、画像処理装置には、種々のプログラムが格納される場合がある。例えば、所定のドキュメントを表示するビューアー等が格納される場合がある。ここで、関心領域内外に画像処理を行うときに、ビューアーの仕様によっては、画像処理とビューアーの機能が干渉し、モニターに表示される画像が好ましくない態様になる場合がある。
【０００６】
本発明はこのような事情に鑑みてなされたものであり、他のプログラムの機能と干渉することを回避可能な画像処理装置、プログラム及び画像処理方法を提供するものである。
【課題を解決するための手段】
【０００７】
本発明によれば、表示部における位置を表す位置情報を検出する位置情報検出部と、前記位置情報に基づいて、前記表示部における関心領域の位置を決定する領域位置決定部と、前記関心領域内又は前記関心領域外の少なくとも一方の画像に対して画像処理を行う画像処理部と、を備え、前記領域位置決定部は、前記画像処理に伴い前記位置情報が変更された場合、前記変更される直前における前記位置情報に基づいて、前記関心領域の位置を決定するように構成される、画像処理装置が提供される。
【０００８】
本発明によれば、領域位置決定部が、画像処理に伴い前記位置情報が変更された場合、変更される直前における位置情報に基づいて、関心領域の位置を決定するように構成される。これにより、位置情報が変更される直前の表示状態を維持することが可能になる。
【０００９】
以下、本発明の種々の実施形態を例示する。以下に示す実施形態は互いに組み合わせ可能である。
好ましくは、前記位置情報は、前記表示部に表示されるポインタのポインタ位置により特定される情報であり、前記領域位置決定部は、前記ポインタ位置に関連付けられた位置を前記関心領域の位置として決定する。
好ましくは、前記画像処理が実行された場合に前記位置情報を予め定められた位置に変更する位置情報変更部を備え、前記領域位置決定部は、前記位置情報が変更された場合でも、前記位置情報が変更された後における前記関心領域の位置を前記位置情報が変更される直前の前記位置情報に決定する。
好ましくは、前記画像処理部は、前記画像処理の実行時に前記関心領域を拡大するように構成される。
好ましくは、前記画像処理部は、前記画像処理の実行時に前記関心領域を移動するように構成される。
好ましくは、前記画像処理部は、前記表示部に表示される画像全体における前記関心領域の相対位置を維持した状態で、前記拡大又は前記移動を行うように構成される。
好ましくは、前記画像処理部は、前記関心領域内又は前記関心領域外の少なくとも一方の画像の画質を維持するように画像処理を実行する。
好ましくは、前記画像処理部は、前記画像処理の実行時に、前記関心領域を非表示とするように構成される。
好ましくは、前記画像処理装置は、本体ユニットと、表示ユニットを備え、前記本体ユニットと前記表示ユニットは、通信可能に構成されており、前記本体ユニットは、前記位置情報検出部及び前記領域位置決定部を備え、前記表示ユニットは、前記表示部及び前記画像処理部を備える。
好ましくは、コンピュータを、表示部における位置表す位置情報を検出する位置情報検出部、前記位置情報に基づいて、前記表示部における関心領域の位置を決定する領域位置決定部、前記関心領域内又は前記関心領域外の少なくとも一方の画像に対して画像処理を行う画像処理部、として機能させ、前記領域位置決定部は、前記画像処理に伴い前記位置情報が変更された場合、前記変更される直前における前記位置情報に基づいて、前記関心領域の位置を決定するように構成される、プログラムが提供される。
好ましくは、位置情報検出部により、表示部における位置表す位置情報を検出する位置情報検出ステップ、領域位置決定部により、前記位置情報に基づいて、前記表示部における関心領域の位置を決定する領域位置決定ステップ、画像処理部により、前記関心領域内又は前記関心領域外の少なくとも一方の画像に対して画像処理を行う画像処理ステップ、を備え、前記領域位置決定部は、前記画像処理に伴い前記位置情報が変更された場合、前記変更される直前における前記位置情報に基づいて、前記関心領域の位置を決定するように構成される、画像処理方法が提供される。
【図面の簡単な説明】
【００１０】
【図１】本発明の一実施形態に係る画像処理装置１の例示的な構成図である。
【図２】画像処理装置１の機能ブロック図である。
【図３】図３Ａ〜図３Ｄは、関心領域ＲＯＩの種々の態様を表す概念的である。
【図４】図４Ａ及び図４Ｂは、画像に関心領域ＲＯＩを設定した様子を表す図である。ここで、図４Ａは図３Ｂに、図４Ｂは図３Ｄに対応する。
【図５】図５Ａ〜図５Ｃは比較例における処理を表す図である。
【図６】図６Ａ〜図６Ｃは本発明の一実施形態に係る画像処理装置１における処理を表す図である。
【図７】図７Ａ〜図７Ｃは、画像の拡大に伴って関心領域ＲＯＩを拡大させた様子を表す図である。
【図８】図８Ａ〜図８Ｃは、画像の拡大に伴って関心領域ＲＯＩを移動させた様子を表す図である。
【図９】図９Ａ〜図９Ｃは、画像の拡大に伴って関心領域ＲＯＩを拡大且つ移動させた様子を表す図である。
【図１０】図１０Ａ〜図１０Ｃは、関心領域ＲＯＩが複数設定された場合における挙動を説明するための図である。
【図１１】図１１Ａ及び図１１Ｃは、ＰｂｙＰ機能により２画面表示させた場合においてスクリーン全体で関心領域ＲＯＩを表示させた状態を表す図である。図１１Ｂ及び図１１Ｄは、２画面毎に関心領域ＲＯＩを表示させた状態を表す図である。
【図１２】本体ユニット１Ａ及び表示ユニット１Ｂにより構成される画像処理装置１の機能ブロック図である。
【発明を実施するための形態】
【００１１】
以下、図面を用いて本発明の実施形態について説明する。以下に示す実施形態中で示した各種特徴事項は、互いに組み合わせ可能である。
【００１２】
１．第１実施形態
図１〜図２に示すように、本発明の第１実施形態に係る画像処理装置１は、例えば単一の情報処理装置により構成され、制御部１０、記憶部２０、操作部３０、及び表示部４０を有する。制御部１０は、記憶部２０に記憶されたプログラムを読み出して種々の演算処理を実行するものであり、例えば、ＣＰＵ等により構成される。記憶部２０は、種々のデータやプログラムを記憶するものであり、例えば、メモリ、ＨＤＤ又はＳＳＤ等により構成される。ここで、プログラムは、画像処理装置１の出荷時点においてプリインストールされていてもよく、Ｗｅｂ上のサイトからアプリケーションとしてダウンロードしてもよく、有線又は無線通信により他の情報処理装置又は記録媒体から転送されてもよい。操作部３０は、画像処理装置１を操作するものであり、例えば、マウス、キーボード、タッチパネル、タッチパッド、カメラ等を利用した動き認識装置、又は音声入力部等により構成される。表示部４０は、種々の画像（静止画及び動画を含む）を表示するものであり、例えば、液晶ディスプレイ、有機ＥＬディスプレイ、タッチパネルディスプレイ、電子ペーパーその他のディスプレイで構成される。バス７０はシリアルバス、パラレルバス等で構成され、各部を電気的に接続し、種々のデータの送受信を可能にするものである
【００１３】
＜画像処理装置１＞
図２に示されるように、画像処理装置１の制御部１０は、位置情報検出部１１、領域位置決定部１２、位置情報変更部１３、領域モード切替部１４、関心領域変更部１５及び画像処理部１６を有する。記憶部２０は、関心領域設定プログラム２１、画像表示プログラム２２及び位置情報記憶部２３を有する。
【００１４】
位置情報検出部１１は、表示部４０における位置を表す位置情報を検出するものである。本実施形態では、位置情報は、表示部４０に表示されるポインタのポインタ位置ＰＰにより特定される情報である。ここで、ポインタは、ユーザーが操作部３０を操作することにより、任意の位置に移動させることができる。本実施形態では、ポインタの先端に対応する位置により、位置情報である座標が特定される。
【００１５】
領域位置決定部１２は、画像処理部１６による画像処理に伴い位置情報が変更された場合、変更される直前における位置情報に基づいて、表示部４０における関心領域ＲＯＩの位置を決定するものである。ここで、関心領域ＲＯＩとは、表示部４０に表示される画像のうち、強調されて表示される領域であり、操作部３０を操作することにより設定される。
【００１６】
位置情報変更部１３は、画像処理が実行された場合に、位置情報を予め定められた位置に変更するものである。そして、画像処理の実行中、つまり、位置情報が変更された場合でも、関心領域ＲＯＩの位置を位置情報が変更される直前における位置に決定する処理を行う。これは、画像表示プログラム２２の仕様であり、他の処理との関係を考慮してなされるものである。
【００１７】
領域モード切替部１４は、関心領域ＲＯＩの表示態様を切り替えるものである。関心領域ＲＯＩの表示態様については、図３及び図４を用いて後述する。
【００１８】
画像処理部１６は、関心領域ＲＯＩ内又は関心領域ＲＯＩ外の少なくとも一方の画像に対して画像処理を行うものである。例えば、関心領域ＲＯＩ内の画像の階調を高める処理や、グレースケールに適した画像処理を実行し、関心領域ＲＯＩの視認性を向上させる。また、これとは逆に、関心領域ＲＯＩ外の画像の階調を低くする処理や、グレースケールに適していない画像処理を実行し、相対的に関心領域ＲＯＩの視認性を向上させてもよい。また、画像処理部１６は、関心領域ＲＯＩ内及び関心領域ＲＯＩ外の画像に対して画像処理を行うこともできる。さらに、画像処理部１６は、関心領域ＲＯＩ内の画像を拡大し、関心領域ＲＯＩ外の画像にオーバーラップして表示させてもよい。
【００１９】
関心領域設定プログラム２１は、画像処理装置１に関心領域ＲＯＩを設定するための機能を実現させるプログラムである。関心領域設定プログラム２１と、位置情報検出部１１、領域位置決定部１２、領域モード切替部１４、関心領域変更部１５及び画像処理部１６が協働することにより、関心領域ＲＯＩの制御が実現される。
【００２０】
画像表示プログラム２２は、画像処理装置１を制御し、表示部４０に所定の画像を表示するための機能を実現させるプログラムである。本実施形態では、画像表示プログラム２２は、所定のドキュメントを表示するビューアーである。また、画像表示プログラム２２は、ポインタが非表示になった場合にポインタ位置を予め定められた位置に変更するプログラムに相当する。画像表示プログラム２２と、位置情報変更部１３及び画像処理部１６が協働することにより、画像処理部１６による画像処理と画像表示プログラム２２による表示機能が干渉し得る。かかる干渉については、図５Ａを用いて後述する。
【００２１】
位置情報記憶部２３は、位置情報を記憶するものである。本実施形態では、操作部３０により操作されるポインタ位置ＰＰを記憶する。かかる記憶は、所定時間毎に行われてもよく、ポインタの所定の移動量毎に行われてもよい。
【００２２】
＜関心領域ＲＯＩ＞
次に、図３及び図４を用いて、関心領域ＲＯＩについて説明する。ここで、図面中の矢印はポインタを表すものとし、以降の図でも同様とする。関心領域ＲＯＩは、位置情報に基づいて、位置が決定される。図３Ａは、関心領域ＲＯＩを表示部４０の横幅全体に渡って帯状に表示させる態様である。ユーザーは操作部３０によりポインタを移動させ、ポインタ位置ＰＰに関連付けられた位置を関心領域ＲＯＩとして決定する。図３Ａの例では、ポインタ位置ＰＰに対応する座標から表示部４０の横幅全体に渡って帯状に関心領域ＲＯＩを設定することができる。図３Ｂは、関心領域ＲＯＩを矩形に表示させる態様である。ユーザーは操作部３０によりポインタを移動させ、ポインタ位置ＰＰに対応する座標から予め定められた大きさの矩形を生成し、関心領域ＲＯＩを設定することができる。図３Ｃは関心領域ＲＯＩを表示部４０の中心に対して左右対称となる位置に矩形に表示させる態様である。例えば、Ｘ線画像等において、人間の肺等の略左右対称の画像を確認する際に用いられる。図３Ｃの例では、いずれか一方の関心領域ＲＯＩを特定すると、そのポインタ位置ＰＰと左右対称な位置を算出し、他方の関心領域ＲＯＩを設定する。図３Ｄは複数の関心領域ＲＯＩを設定する態様を表す。ユーザーが操作部３０によりポインタを移動させ、関心領域ＲＯＩを固定したい場所で「固定」指示を実行することにより、関心領域ＲＯＩを固定することができる。また、関心領域ＲＯＩが固定された後は、新たに生成された関心領域ＲＯＩをポインタの移動に追従させることができる。ここで、関心領域ＲＯＩの形状は任意であり、任意の大きさ及び形状の矩形、多角形、円形、楕円形、星型等とすることができる。また、ポインタ位置ＰＰに関連付けられた位置は、ポインタの先端に限定されず、ポインタの先端から予め定められた範囲内の任意の箇所としてもよい。
【００２３】
これらの表示態様は、領域モード切替部１４により切り替えることができる。ここで、図３Ａにおける帯の高さ、図３Ｂ〜図３Ｄにおける矩形の大きさは、操作部３０により任意の大きさに変更することができる。
【００２４】
図４Ａは実際の画像に関心領域ＲＯＩを設定した様子を表す図であり、図３Ｂの矩形表示に対応する。また、図４Ｂは図３Ｄの複数表示に対応する。このように、関心領域ＲＯＩを強調表示することにより、関心領域ＲＯＩ内の画像の視認性が向上する。
【００２５】
＜関心領域ＲＯＩの制御＞
次に、図５〜図１０を用いて、関心領域ＲＯＩの制御について説明する。図５Ａ〜図５Ｃは、本発明の比較例であり、領域位置決定部１２は、現在の位置情報（すなわち、ポインタ位置ＰＰ）に基づいて、関心領域ＲＯＩを決定するように構成されている。図６Ａ〜図６Ｃは、本発明の一実施形態であり、画像処理に伴い位置情報が変更された場合、位置情報が変更される直前における位置情報に基づいて、関心領域ＲＯＩの位置を決定するように構成されている。ここで、本実施形態では、画像表示プログラム２２の仕様により、画像処理の実行中にポインタが非表示となり、ポインタ位置ＰＰが変更されるものである。換言すると、本実施形態では、ポインタが非表示になる直前における位置情報に基づいて、ポインタが非表示のときにおける関心領域ＲＯＩの位置を決定するように構成されている。図中におけるｔは時刻を表し、矢印の方向に向けて時間が経過することを意味する。つまり、図５Ａ〜図５Ｃの順に時間が経過することを表す。また、図中におけるハイライト箇所が関心領域ＲＯＩを表す。以降の図においても同様である。
【００２６】
＜比較例１＞
図５Ａに示されるように、領域位置決定部１２は、現在のポインタ位置ＰＰに基づいて関心領域ＲＯＩの位置を決定し、その領域をハイライトする。
【００２７】
この状態で、図５Ａに示されている画像全体の階調を高めたいとする。一例では、画像表示プログラム２２の仕様により、操作部３０であるキーボードにより「ｓｈｉｆｔ＋ｃｏｎｔｒｏｌ＋上向き矢印」が押下されている間に画像全体の階調を高めるようになっている。また、図５Ｂに示されるように、画像表示プログラム２２の仕様により、かかるコマンドの押下中はポインタが非表示となる。そして、ポインタが非表示となるとき、画像表示プログラム２２の仕様により、位置情報変更部１３によってポインタ位置ＰＰが予め定められた位置に変更される。図５Ｂの例では、表示部４０の右下が予め定められた位置に相当する。そして、ポインタ位置ＰＰの移動にともない、関心領域ＲＯＩの位置が変更される。すなわち、領域位置決定部１２は、現在のポインタ位置ＰＰに基づいて関心領域ＲＯＩの位置を決定するように構成されているので、図５Ｂに示されるように、位置情報変更部１３によって変更された右下の位置に、関心領域ＲＯＩが設定されてしまう。ユーザーは、図５Ａで示した位置を関心領域ＲＯＩとしたいにも関わらず、画像表示プログラム２２の仕様によって、階調変化中における関心領域ＲＯＩの位置が勝手に変更されてしまうという不具合が生じてしまう。
【００２８】
その後、キーボードによる「ｓｈｉｆｔ＋ｃｏｎｔｒｏｌ＋上向き矢印」の押下が終了すると、図５Ｃに示されるように、ポインタが再表示される。このとき、画像表示プログラム２２の仕様により、ポインタが再び表示されると、ポインタが非表示になる直前における位置にポインタ位置ＰＰが戻される。これにより、関心領域ＲＯＩが図５Ａの状態に戻ることになる。
【００２９】
一方、本発明の一実施形態に係る画像処理装置１では、かかる問題が解決される。図６Ａ〜図６Ｃの例では、領域位置決定部１２は、ポインタが非表示になる直前における位置情報（ポインタ位置ＰＰ）に基づいて、ポインタが非表示のときにおける関心領域ＲＯＩの位置を決定するように構成される。以下、詳細に説明する。
【００３０】
図６Ａに示されるように、領域位置決定部１２は、現在のポインタ位置ＰＰに基づいて関心領域ＲＯＩの位置を決定し、その領域をハイライトする。この点は、比較例１と同じである。
【００３１】
この状態で、図６Ａに示されている画像全体の階調を高める操作を行ったとする。このとき、位置情報変更部１３によってポインタ位置ＰＰが予め定められた位置に変更される。本実施形態では、ポインタが非表示になった場合、制御部１０は、ポインタが非表示になる直前の位置情報（ポインタ位置ＰＰ）を位置情報記憶部２３に記憶する。この点が本実施形態の特徴である。
【００３２】
そして、ポインタが非表示になった場合、領域位置決定部１２は、ポインタが非表示のときにおける関心領域ＲＯＩの位置情報をポインタが非表示になる直前のポインタ位置ＰＰに決定するように構成される。この点が本実施形態の特徴である。このため、領域位置決定部１２は、ポインタ位置ＰＰが変更された場合でも、ポインタが非表示のときにおける関心領域ＲＯＩの位置をポインタが非表示になる直前のポインタ位置ＰＰに決定することができる。
【００３３】
その後、階調を変化させる操作が終了すると、図６Ｃに示されるように、ポインタが再表示される。このとき、画像表示プログラム２２の仕様により、位置情報変更部１３によりポインタが非表示になる直前における位置にポインタ位置ＰＰが戻される。この点は、比較例１と同じである。
【００３４】
以上のように、本実施形態では、ポインタが非表示のときには、ポインタの現在の位置情報に基づいて関心領域ＲＯＩが決定されるのではなく、非表示になる直前の位置情報に基づいて関心領域ＲＯＩが決定される。このため、ポインタが非表示になった場合に、別の位置に関心領域ＲＯＩが移動してしまうという仕様になっている画像表示プログラム２２を用いる場合でも、関心領域ＲＯＩが意図せずして変更されることが抑制される。
【００３５】
次に、図７〜図１０を用いて、関心領域ＲＯＩ内の画像に対する他の画像処理について説明する。図７Ａに示されている画像全体を拡大する拡大操作を開始したとする。一例では、画像表示プログラム２２の仕様により、操作部３０であるキーボードにより「ｃｏｎｔｒｏｌ」が押下されているときにマウスを移動させる間に、画像が連続的又は段階的に拡大されるようになっている。図７Ｂに示されるように、制御部１０は、拡大操作が開始されてポインタが非表示になる直前の位置情報（ポインタ位置ＰＰ）を位置情報記憶部２３に記憶する。
【００３６】
ポインタが非表示になった場合、領域位置決定部１２は、ポインタが非表示のときにおける関心領域ＲＯＩの位置情報をポインタが非表示になる直前のポインタ位置ＰＰに決定する。また、ポインタが非表示になった場合における関心領域ＲＯＩを拡大するように構成される。ここで、本実施形態では、拡大率は２倍であるとする。そして、画像の拡大倍率（２倍）に合わせ、関心領域ＲＯＩの大きさを２倍に拡大するように構成される。かかる拡大は、関心領域変更部１５によりなされる。これにより、拡大前に関心領域ＲＯＩに含まれていた画像の全部又は大部分が、拡大後の関心領域ＲＯＩに含まれることになる。また、拡大前の関心領域ＲＯＩ内に含まれる画像が、なるべく表示部４０の真ん中にくるように拡大が制御される。かかる制御は、公知のパターンマッチング又は特徴ベクトルを用いることにより実現される。したがって、ユーザーが操作部３０を操作し、関心領域ＲＯＩの大きさを変更する手間を省くことが可能になる。
【００３７】
その後、キーボードによる「ｃｏｎｔｒｏｌの押下＋マウス操作」が終了すると、図７Ｃに示されるように、ポインタが再表示される。このとき、画像表示プログラム２２の仕様により、ポインタが再表示されるときに、ポインタが非表示になる直前における位置にポインタ位置ＰＰが戻される。
【００３８】
一方、図８の例では、ポインタが非表示になった場合における関心領域ＲＯＩを移動するように構成される。つまり、拡大操作中における関心領域ＲＯＩの位置を、拡大前のポインタ位置ＰＰ及び画像処理に基づいて矢印の向きに移動させる。かかる移動は、関心領域変更部１５によりなされる。例えば、拡大前の関心領域ＲＯＩ内の画像と、拡大後の画像をパターンマッチング又は特徴ベクトルを用いた公知の画像追跡処理を用いて比較し、拡大前の関心領域ＲＯＩ内の画像に対応する箇所に向けて関心領域ＲＯＩを移動させる。このとき、画像の拡大倍率を考慮してパターンマッチング又は特徴ベクトルを用いて画像追跡処理が実行される。
【００３９】
図７及び図８の例では、拡大の前後において、表示部４０に表示される画像全体における関心領域ＲＯＩの相対位置が維持されることが好ましい。
【００４０】
これらの処理は互いに組み合わせることが可能である。例えば、図９に示されるように、ポインタが非表示のときに、２倍に拡大された関心領域ＲＯＩを拡大前の関心領域ＲＯＩ内の画像に対応する箇所に向けて関心領域ＲＯＩを移動させてもよい。
【００４１】
次に、関心領域ＲＯＩを複数設定した場合における処理について説明する。図１０に示されるように、関心領域ＲＯＩが２つ存在する場合、ポインタが非表示になったときに、ポインタが非表示になる直前の２つの位置情報（ポインタ位置ＰＰ）を位置情報記憶部２３に記憶する。あわせて、２つの関心領域ＲＯＩの中心（図中の黒点）を結ぶ線分の中点ＭＰの座標を位置情報記憶部２３に記憶する。そして、中点ＭＰが拡大後の画像の中心となるように、画像の拡大を制御する。このとき、中点ＭＰとの相対位置を維持した状態でポインタ位置ＰＰを矢印の向きに移動させる。あわせて、かかるポインタ位置ＰＰで指定される位置に関心領域ＲＯＩを表示する。なお、図１０の例でも、関心領域ＲＯＩの拡大を実行してもよい。
【００４２】
以上説明した種々の処理により、画像表示プログラム２２の機能と関心領域設定プログラム２１の機能が干渉することを回避し、画像処理部１６による画像処理の前後において、関心領域ＲＯＩの位置を固定又は好ましい位置に移動させ、必要に応じて関心領域ＲＯＩを拡大することが可能となる。
【００４３】
＜ＰｂｙＰ機能実行時における関心領域ＲＯＩ＞
次に、図１１Ａ〜図１１Ｄを用いて、ＰｂｙＰ機能実行時における関心領域ＲＯＩについて説明する。図１１Ａは図３Ａに対応し、図１１Ｃは図３Ｃに対応する。図１１Ａ及び図１１Ｃに示されるように、ＰｂｙＰ機能により２画面表示させた場合においてスクリーン全体で関心領域ＲＯＩを表示させることができる。また、図１１Ｂ及び図１１Ｄに示されるように、２画面毎に関心領域ＲＯＩを表示させてもよい。これらは領域モード切替部１４により切り替えることができる。
【００４４】
２．第２実施形態
図１２を用いて、本発明の第２実施形態に係る画像処理装置１について説明する。本実施形態の画像処理装置１は、互いに通信可能な本体ユニット１Ａ及び表示ユニット１Ｂを備えており、この点が第１実施形態との主な相違点である。換言すると、第２実施形態における画像処理装置１は、本体ユニット１Ａ及び表示ユニット１Ｂにより構成されるシステムと捉えることもできる。以下、第１実施形態との相違点を中心に説明を進める。
【００４５】
本体ユニット１Ａは、第１実施形態に加え、通信部５０を備える。通信部５０は、表示ユニット１Ｂ又は他の情報処理装置と種々のデータを送受信するものであり、任意のＩ／Ｏにより構成される。表示ユニット１Ｂは、例えばモニターにより構成され、表示部４０、制御部１００、通信部５００及び画像処理部１６を有する。制御部１００は制御部１０に対応し、通信部５００は通信部５０に対応する。また、画像処理部１６は、本体ユニット１Ａ又は表示ユニット１Ｂの少なくとも一方に設けられる。本実施形態では、画像処理部１６が表示ユニット１Ｂに設けられる。
【００４６】
第２実施形態では、本体ユニット１Ａの通信部５０と、表示ユニット１Ｂの通信部５００が互いに情報を通信可能に構成される。また、通信部５０から通信部５００へ画像データが送信される。
【００４７】
通信部５０は、関心領域ＲＯＩの位置情報（ポインタ位置ＰＰ）を通信部５００に送信する。そして、画像処理部１６は、かかる位置情報（ポインタ位置ＰＰ）に基づいて、関心領域ＲＯＩ内の画像に対してハイライト処理を実行する。
【００４８】
なお、画像処理部１６が本体ユニット１Ａに設けられる場合には、通信部５０は、関心領域ＲＯＩの位置情報（ポインタ位置ＰＰ）に加え、ハイライト処理後の画像データを表示ユニット１Ｂの通信部５００に送信する。
【００４９】
＜その他＞
以上、種々の実施形態について説明したが、本発明に係る画像処理装置１はこれらに限定されない。
【００５０】
上述の説明では、画像処理の実行中にポインタが非表示となる態様について説明したが、これに限定されない。例えば、ポインタが表示されないタッチパネルを表示部４０として利用した場合、ユーザーによるタッチ操作により関心領域ＲＯＩの位置が決定される。そして、その状態で例えばスワイプ操作等により関心領域ＲＯＩ内又は関心領域ＲＯＩ外の少なくとも一方の画像に対して画像処理を行った場合には、画像処理に伴い位置情報が変更された場合、変更される直前における位置情報に基づいて、関心領域ＲＯＩの位置を決定するように構成されてもよい。また、別の例では、タッチ操作により関心領域ＲＯＩの位置が決定された後、ユーザーの指がタッチパネルから離れたとする。この場合、位置情報検出部１１による位置情報の検出はなされないが、表示装置１は直前に検出された位置情報を記憶してもよい。そして、この状態で画像処理が行われると、画像処理に伴い直前に記憶した位置情報が変更されることになる。このとき、変更される直前における位置情報に基づいて、関心領域ＲＯＩの位置を決定するように構成してもよい。
【００５１】
また、医療画像分野において制定された規格である「ＤＩＣＯＭ」又は「ＣＡＬ１」に準拠した画質の画像を表示させる表示モードを切替可能に構成されてもよい。この場合、ポインタが非表示となった後に再表示されたとき、関心領域ＲＯＩの画質を維持することにしてもよい。すなわち、画像処理部１６による画像処理の前後において、関心領域ＲＯＩ内の画質の表示モードを維持するものである。
【００５２】
また、画像処理部１６は、ポインタが非表示になった場合、関心領域ＲＯＩを非表示とする構成とすることができる。このとき、必要に応じて、ポインタが再表示されたときに関心領域ＲＯＩを表示し、あわせて関心領域ＲＯＩを拡大又は移動させてもよい。
【００５３】
また、画像処理に伴い位置情報が変更された場合における位置情報を、変更される直前における位置情報に決定することに代えて、直前のポインタ位置ＰＰから予め定められた範囲内としてもよい。また、直前のポインタ位置ＰＰに代えて、非表示となる所定時間前（直前に記憶部２０に記憶した位置情報、２回前に記憶した位置情報、３回前に記憶した位置情報等）におけるポインタ位置ＰＰを用いてもよい。また、非表示となる前の所定時間内におけるポインタ位置ＰＰのうち、最も長い間滞在していたポインタ位置ＰＰを用いてもよい。
【００５４】
また、画像の拡大操作について、単に表示部４０に表示される画像の中心を基準に拡大させる構成としてもよい。
【００５５】
また、画像処理装置１の機能を実装したコンピュータ読み取り可能な非一時的な記録媒体として提供することもできる。また、これらの機能を実現するプログラムを、インターネット等を介して配信することもできる。また、画像処理装置１、本体ユニット１Ａ及び表示ユニット１Ｂを構成する各部は、同じ筐体に含まれてもよく、複数の筐体に分散配置されてもよい。
【００５６】
また、位置情報検出部により、表示部における位置表す位置情報を検出する位置情報検出ステップ、領域位置決定部により、前記位置情報に基づいて、前記表示部における関心領域の位置を決定する領域位置決定ステップ、画像処理部により、前記関心領域内又は前記関心領域外の少なくとも一方の画像に対して画像処理を行う画像処理ステップ、を備え、前記領域位置決定部は、前記画像処理に伴い前記位置情報が変更された場合、前記変更される直前における前記位置情報に基づいて、前記関心領域の位置を決定するように構成される、画像処理方法として提供することもできる。
【００５７】
また、関心領域ＲＯＩの表示／非表示を切り替えるショートカットを割り当ててもよい。この場合、画像表示プログラム２２で利用されるショートカットと被っていないかについて、制御部１０が判断してもよい。
【符号の説明】
【００５８】
１：画像処理装置
１Ａ：本体ユニット
１Ｂ：表示ユニット
１０，１００：制御部
１１：位置情報検出部
１２：領域位置決定部
１３：位置情報変更部
１４：領域モード切替部
１５：関心領域変更部
１６：画像処理部
２０：記憶部
２１：関心領域設定プログラム
２２：画像表示プログラム
２３：位置情報記憶部
３０：操作部
４０：表示部
５０，５００：通信部
【図１】
2018137571.tif 000003
【図２】
2018137571.tif 000004
【図３】
2018137571.tif 000005
【図４】
2018137571.tif 000006
【図５】
2018137571.tif 000007
【図６】
2018137571.tif 000008
【図７】
2018137571.tif 000009
【図８】
2018137571.tif 000010
【図９】
2018137571.tif 000011
【図１０】
2018137571.tif 000012
【図１１】
2018137571.tif 000013
【図１２】
2018137571.tif 000014